(57)【要約】      （修正有）【課題】防塵、防花粉といった衛生面での機能を有すると共に、熱中症対策も兼備した衛生マスクを提供する。【解決手段】衛生マスクに保冷剤を収納するポケットを装備し、ポケットに冷却又は凍らせた保冷剤を入れて頬を冷却し、体温を下げるいわゆる熱中症対策も兼備させたクールマスクであって、保冷剤は必要により交換することで頬の冷却が持続できる。【選択図】図１
0003227145.tif 000002
【実用新案登録請求の範囲】
【請求項１】
人間の頬には、ＡＶＡ（動静脈吻合）という特別な血管が通っており、普段は閉じているが暑くなると開通して熱を放散し、体温を下げる働きがある。よって、頬を冷やすことは体温を下げることに効果があり、熱中症対策として有効である。
【請求項２】
頬を冷やす方法として図１の様なマスクを装着する方法がある。
当該マスクは、特異な製法は不要であり、既存の布製又は紙製の衛生マスクの製法で良く、以下Ａ〜Ｅの要件を満たすものとする。
Ａ．冷却用ジェル袋、又は凍らせた保冷剤等（以下、保冷剤という。）を収納するポケットをマスクの左右に適切な間隔（＊１）で配置し、各ポケット内に保冷剤を入れ、保持できる。
Ｂ．保冷剤は、ポケットの上部から容易に出し入れ可能、かつ交換が容易に行えるようポケットの横幅、厚み等を適切にする。
Ｃ．頬に接する面は、保冷剤で頬が冷た過ぎることがないようマスク生地の厚みを考慮する。
Ｄ．ポケット中央側の縫い目、又は接着面は、マスク下部から数センチメートルの開口部を設け、当該開口部から冷却空気が鼻腔に流れ、より冷却効果、冷却感が増す仕様とする。
Ｅ．耳紐は、マスクが保冷剤の重みで外れないよう強化形、又は二本掛けとすると共に、耳痛を出来るだけ軽減させる仕様とする。
【請求項３】
上記［請求項２］に記したマスクは、一般的な大人用、子供用サイズで制作し、布製のマスクについてはウオッシャブル＆再利用可とする。
【請求項４】
本考案のマスクは、衛生面、健康面でアピール性が高く、マスクの前面に団体名やロゴマーク、シンボルマーク等を表示することにより公共の場やマスコミ等で活動状況を広くアピールできる。
＜例＞  ・オリンピックの五輪マーク、各省庁、都道府県、市町村、学校、ＮＰＯ、国体、競技会単位でロゴやシンボルマークを表示し、活動状況をアピールする。
＊１：保冷剤が鼻に近過ぎず、出来るだけ耳側に寄って冷却感が増すようカット＆トライで試用装着の結果をもとに決定する。
【考案の詳細な説明】
【技術分野】
【０００１】  本考案は、既存の衛生マスクに熱中症対策を兼備させるものである。
【背景技術】
【０００２】  人間の頬には、ＡＶＡ（動静脈吻合）という特別な血管が通っており、普段は閉じているが暑くなると開通して熱を放散し、体温を下げる働きがある。頬を冷やすことは体温を下げることに効果的であり、熱中症対策として有効である。【０００３】  現在市販されている衛生マスクは、非常に高度な技術、品質で製造されており、衛生用品としてかなり優れている製品が多い。
しかしながら、どの衛生マスクにも熱中症対策としての機能は兼備されておらず、そこが本考案の出発点である。
上記［請求項２］〜［請求項４］に示す仕様のマスクを新たに導入し、防塵、防花粉等の衛生面のみならず、熱中症対策も兼備した高機能マスクを社会に提供すると共に、マスクの前面に表示する団体名やロゴマーク、シンボルマーク等により、健康への取り組みがアピールできる。
【考案の概要】
【考案が解決しようとする課題】
【０００４】  現在市販されている衛生マスクは、衛生面ではかなり優れているものの、熱中症対策を兼備した衛生マスクは見当たらない。
衛生マスクに熱中症対策の機能を兼備させたクールマスク（別名：熱中症対策兼用衛生マスク）を導入する。
【課題を解決するための手段】
【０００５】  保冷剤を収納するポケットを装備した衛生マスクを制作し、保冷剤により頬を冷やして体温を下げ熱中症対策とする。
【図面の簡単な説明】
【０００６】
【図１】  クールマスク（別名：熱中症対策兼用衛生マスク）の概要を［図１］に示す。クールマスクの詳細な仕様は、試作品等による試着結果をもとに決定する。
【図１】
0003227145.tif 000003
【手続補正書】
【提出日】令和1年9月26日(2019.9.26)
【手続補正１】
【補正対象書類名】実用新案登録請求の範囲
【補正対象項目名】全文
【補正方法】変更
【補正の内容】
【実用新案登録請求の範囲】
【請求項１】
人間の頬にはＡＶＡ（動静脈吻合）という特別な血管が通っており普段は閉じているが暑くなると開通して熱を放散し体温を下げる働きがあるので頬を冷やすことは体温を下げることに効果があり熱中症対策として有効であるため現在市販されている衛生マスクと同様の形状および材質で両耳近辺までカバーする大きめの衛生マスクをベースとしこれに熱中症対策として頬を冷やすための冷却剤を収納可能なポケットを衛生マスクと同材質で頬に接しない側に縫製か接着により左右の頬側に追加した熱中症対策兼用の衛生マスク（名称をクールマスクとする。）である。
【請求項２】
請求項１においては、
（１）冷却剤とは冷却または凍らせたジェル袋や保冷剤を指し、
（２）ポケットは保冷剤が鼻に近すぎず出来るだけ耳側に寄って冷却感が増すようカット＆トライで配置して保冷剤を収納ならびに保持可能かつポケットの上部から保冷剤の出し入れや交換が容易に可能であり、
（３）保冷剤で頬が冷た過ぎることがない厚みのベースとし、
（４）ポケット中央側の縫い目または接着面はマスク下部から数センチメートルの開口部を設け当該開口部から冷却空気が鼻腔に流れてより冷却感が増す仕様とし、
（５）耳紐はマスクが保冷剤の重みで安易に外れないようまた耳痛を軽減させるため幅広形あるいは二本掛けとし、
（６）布製のマスクはウオッシャブル＆再利用を可とし、
（７）マスクの前面には必要により団体名や五輪マークまたはロゴマークあるいはシンボルマーク等を表示し公共の場やマスコミ等で活動状況をアピールできる仕様とする、
以上の（１）〜（７）の構成からなるマスクである。
【手続補正書】
【提出日】令和1年12月9日(2019.12.9)
【手続補正１】
【補正対象書類名】実用新案登録請求の範囲
【補正対象項目名】全文
【補正方法】変更
【補正の内容】
【実用新案登録請求の範囲】
【請求項１】
人間の頬には、ＡＶＡ（動静脈吻合）という特別な血管が通っており普段は閉じているが暑くなると開通して熱を放散し体温を下げる働きがあるので頬を冷やすことは体温を下げることに効果があり熱中症対策として有効であるため左右の頬をカバーする大きさの衛生マスクをベースとして頬を冷やすための冷却剤を収納且つ出し入れ可能なポケットをベースに左右対称で取り付けた熱中症対策を兼備する衛生マスク。
【請求項２】
請求項１においては、
（１）冷却剤とは冷却又は凍らせたジェル袋や保冷剤を指し、
（２）マスクは保冷剤で頬が冷た過ぎることがない厚みとし、
（３）ポケットは保冷剤が鼻に近すぎず出来るだけ耳側に寄って冷却感が増すようカット＆トライで配置して保冷剤を収納且つポケットの上部から保冷剤を容易に出し入れ及び交換を可能とし、
（４）左右ポケットのマスク中央側の取り付けラインはマスクの下部から数センチメートルの開口部を設け当該開口部から漏れた冷却空気が鼻腔に流れてより冷却感が増す仕様とし、
（５）耳紐はマスクが保冷剤の重みで安易に外れないようまた耳痛を軽減させるため幅広形あるいは二本掛けとし、
（６）布製のマスクについてはウオッシャブル＆再利用を可とし、
（７）マスクの表面には表示が附され広告や宣伝目的での利用を可とする、
以上の（１）〜（７）で構成されるマスクである。